(57)【要約】      （修正有）【課題】使用者による記録用紙の貼付作業を簡単にする。【解決手段】所定の画像を分割し、その分割した分割画像を複数枚の記録用紙に分けて形成するポスターコピーを行う際には、分割拡大画像の印刷時に印刷部から出力される記録用紙Ｐ１〜Ｐ４のうち、記録用紙Ｐ１〜Ｐ３に糊代２０を形成し、その糊代２０に対して、記録用紙Ｐ１〜Ｐ４を糊代２０で重ね合わせる順番を表す重ね順マークＭ１、Ｍ２、Ｍ３を付与する。このため、記録用紙Ｐ１〜Ｐ４の貼付作業では、重ね順マークＭ１〜Ｍ３により表される順番に従って、記録用紙Ｐ１〜Ｐ４を糊代２０で重ね合わせるだけでよいので、使用者が記録用紙Ｐ１〜Ｐ４を重ね合わせる順番を間違えてしまうことを防止することができ、使用者による記録用紙Ｐ１〜Ｐ４の貼付作業を簡単にすることができる。【選択図】図２
2008238699.tif 000002
【特許請求の範囲】
【請求項１】
所定の画像を分割し、その分割した分割画像を複数枚の記録用紙に分けて形成する画像形成装置であって、
前記分割画像が形成される記録用紙のうち、少なくとも１枚の記録用紙に対して、この記録用紙を他の記録用紙に重ね合わせるための重ね部を形成する重ね部形成手段と、
前記重ね部形成手段により形成された重ね部に対して、前記記録用紙を重ね合わせる順番を表す重ね順を付与する重ね順付与手段と
を備えたことを特徴とする画像形成装置。
【請求項２】
前記重ね部が、前記記録用紙同士を重ね合わせる際に糊が塗布される糊代である場合において、
前記重ね順は、前記糊代に糊が塗布される糊付けの順番であることを特徴とする請求項１に記載の画像形成装置。
【請求項３】
前記重ね順は、前記分割画像が形成された複数の記録用紙同士を重ね合わせた状態における前記記録用紙の配置位置を表していることを特徴とする請求項１に記載の画像形成装置。
【請求項４】
前記重ね順が若い方から順に、前記重ね部が形成された記録用紙が外部へ出力されることを特徴とする請求項１ないし請求項３の何れか１項に記載の画像形成装置。
【請求項５】
前記重ね部形成手段は、前記分割画像が形成される記録用紙のうち、最後に外部へ出力される記録用紙以外の記録用紙に重ね部を形成することを特徴とする請求項１ないし請求項４の何れか１項に記載の画像形成装置。
【請求項６】
所定の画像を分割し、その分割した分割画像を複数枚の記録用紙に分けて形成する画像形成装置を制御するための画像形成用プログラムであって、
コンピュータを、
前記分割画像が形成される記録用紙のうち、少なくとも１枚の記録用紙に対して、この記録用紙を他の記録用紙に重ね合わせるための重ね部を形成する重ね部形成手段、及び
前記重ね部形成手段により形成された重ね部に対して、前記記録用紙を重ね合わせる順番を表す重ね順を付与する重ね順付与手段
として機能させることを特徴とする画像形成用プログラム。
【請求項７】
前記重ね部が、前記記録用紙同士を重ね合わせる際に糊が塗布される糊代である場合において、
前記重ね順は、前記糊代に糊が塗布される糊付けの順番であることを特徴とする請求項６に記載の画像形成用プログラム。
【請求項８】
前記重ね順は、前記分割画像が形成された複数の記録用紙同士を重ね合わせた状態における前記記録用紙の配置位置を表していることを特徴とする請求項６に記載の画像形成用プログラム。
【発明の詳細な説明】
【技術分野】
【０００１】
本発明は、所定の画像を分割し、その分割した分割画像を複数枚の記録用紙に分けて形成するポスターコピー機能を有する画像形成装置、及びそのプログラムに関する。
【背景技術】
【０００２】
画像形成装置では、ポスターコピーを行う際に、分割画像を形成すべき複数枚の記録用紙のうち、少なくとも１枚の記録用紙に糊代用の余白を設けるようにしている（例えば、特許文献１参照）。
【特許文献１】特開平６−１５５８４８号公報
【発明の開示】
【発明が解決しようとする課題】
【０００３】
しかしながら、特許文献１に記載の発明では、単に記録用紙に糊代を設けているだけなので、使用者が糊代に糊付けをする順番を間違えてしまい、記録用紙同士を貼り付ける作業に手間が掛かってしまうという問題があった。
【０００４】
本発明は、上記点に鑑み、使用者による記録用紙の貼付作業を簡単にすることを目的とする。
【課題を解決するための手段】
【０００５】
本発明は、上記目的を達成するために、請求項１に記載の発明では、所定の画像を分割し、その分割した分割画像を複数枚の記録用紙に分けて形成する画像形成装置であって、分割画像が形成される記録用紙のうち、少なくとも１枚の記録用紙に対して、この記録用紙を他の記録用紙に重ね合わせるための重ね部を形成する重ね部形成手段と、重ね部形成手段により形成された重ね部に対して、記録用紙を重ね合わせる順番を表す重ね順を付与する重ね順付与手段とを備えたことを特徴とする。
【０００６】
これにより、請求項１に記載の発明によれば、記録用紙を重ね合わせる順番を表す重ね順が付与されているので、使用者が記録用紙を重ね合わせる順番を間違えてしまうことを防止することができる。したがって、記録用紙の貼付作業に掛かる手間を軽減することができるので、使用者による記録用紙の貼付作業を簡単にすることができる。
【０００７】
また、請求項２に記載の発明は、重ね部が、記録用紙同士を重ね合わせる際に糊が塗布される糊代である場合において、重ね順は、糊代に糊が塗布される糊付けの順番であることを特徴とする。
【０００８】
すなわち、糊代に塗布する糊付けの順番と重ね順とは、必ずしも一致するわけではないので、請求項２に記載の発明のように、糊代に糊付けをする順番と重ね順とを同じにすれば、使用者による記録用紙の貼付作業をより簡単にすることができる。
【０００９】
また、重ね順は、請求項３に記載のように、分割画像が形成された複数の記録用紙同士を重ね合わせた状態における記録用紙の配置位置を表しているとよい。
これにより、分割画像が形成された複数の記録用紙同士を使用者が重ね合わせる際には、これら記録用紙の配置位置を知ることができるので、記録用紙の貼付作業をより簡単にすることができる。
【００１０】
請求項４に記載の発明では、重ね順が若い方から順に、重ね部が形成された記録用紙が外部へ出力されることを特徴とする。
これにより、使用者は、画像形成装置から出力されてきた記録用紙から順番に、記録用紙を重ね合わせればよいので、貼付作業の効率を向上させることができる。
【００１１】
また、重ね部形成手段は、請求項５に記載のように、分割画像が形成される記録用紙のうち、最後に外部へ出力される記録用紙以外の記録用紙に重ね部を形成するようにされていれば、画像形成装置から最後に出力されてきた記録用紙は、他の記録用紙に形成された重ね部に重ね合わせるだけでよい。
【００１２】
請求項６に記載の発明では、所定の画像を分割し、その分割した分割画像を複数枚の記録用紙に分けて形成する画像形成装置を制御するための画像形成用プログラムであって、コンピュータを、分割画像が形成される記録用紙のうち、少なくとも１枚の記録用紙に対して、この記録用紙を他の記録用紙に重ね合わせるための重ね部を形成する重ね部形成手段、及び重ね部形成手段により形成された重ね部に対して、記録用紙を重ね合わせる順番を表す重ね順を付与する重ね順付与手段として機能させることを特徴とする。
【００１３】
これにより、記録用紙を重ね合わせる順番を表す重ね順が付与されているので、請求項１で述べた効果と同様に、使用者による記録用紙の貼付作業を簡単にすることができる。
請求項７に記載の発明では、重ね部が、記録用紙同士を重ね合わせる際に糊が塗布される糊代である場合において、重ね順は、糊代に糊が塗布される糊付けの順番であることを特徴とする。
【００１４】
これにより、糊代に糊付けをする順番と重ね順とを同じにしているので、請求項２で述べた効果と同様の効果を得ることができる。
請求項８に記載の発明では、重ね順は、分割画像が形成された複数の記録用紙同士を重ね合わせた状態における記録用紙の配置位置を表していることを特徴とする。
【００１５】
これにより、分割画像が形成された複数の記録用紙同士を使用者が重ね合わせる際には、これら記録用紙の配置位置を知ることができるので、請求項３で述べた効果と同様の効果を得ることができる。
【発明を実施するための最良の形態】
【００１６】
本実施形態は、プリンタ機能、スキャナ機能、カラーコピー機能及びファクシミリ機能等の複数機能を備えた、いわゆる複合機に、本発明に係る画像形成装置を適用したものであり、以下に本発明の実施形態を図面と共に説明する。
【００１７】
（第１実施形態）
１．複合機の概要
図１は、第１実施形態の複合機の構成を表すブロック図である。
【００１８】
複合機は、図１に示すように、載置台（図示省略）に載置された記録用紙上の画像を読み取る読取部１０、読取部１０に読み取られる記録用紙の寸法を検出する用紙寸法検出センサ１２、使用者に操作される操作部１４、記録用紙に画像を印刷（形成）する印刷部１６、及び複合機を統括制御する制御部１８等を有して構成されており、制御部１８は、ＣＰＵ１８Ａ、ＲＡＭ１８Ｂ、ＲＯＭ１８Ｃ等を有するコンピュータにて構成される。
【００１９】
そして、本実施形態の複合機は、上記機能に加えて、読取部１０により読み取られる画像（以下、読取用画像という。）を複数に分割すると共に所定の倍率で拡大し、その分割かつ拡大した複数の分割拡大画像を、複数枚の記録用紙にそれぞれ分けて印刷するというポスターコピー機能を有している。つまり、本実施形態では、読取用画像を元にしてポスターコピーが行われる。
【００２０】
２．ポスターコピー
本実施形態のポスターコピーでは、読取用画像（１枚の記録用紙）が縦方向及び横方向に約２倍ずつ拡大されることで、分割拡大画像が４枚の記録用紙に印刷される。そして、本実施形態では、それら印刷された記録用紙の各々を、２行２列に配列するとともに、各記録用紙に形成される糊代２０（図２参照）の部分で重ね合わせることで、読取用画像を所定倍率（約４倍）だけ拡大させた拡大画像を作成することができる。
【００２１】
また、図２に示すように、分割拡大画像が形成された４枚の記録用紙Ｐ１〜Ｐ４同士が、糊代２０の部分で分割拡大画像に合わせて重ね合わされた状態（以下、完成状態という。）における横の並び方向（左右方向）を「行」といい、縦の並び方向（上下方向）を「列」という。例えば、完成状態において左上の位置に配置される記録用紙Ｐ１は、図２に示すように、１行１列の位置に配置されることとなる。
【００２２】
また、本実施形態において、分割拡大画像の印刷が行われる際には、図２に示すように、分割拡大画像の印刷時に印刷部１６から出力される記録用紙Ｐ１〜Ｐ４のうち、最後に出力される記録用紙Ｐ４以外の記録用紙（１〜３枚目に出力される記録用紙）Ｐ１〜Ｐ３に糊代２０を形成し、その糊代２０に、記録用紙Ｐ１〜Ｐ４を重ね合わせる順番を表す重ね順マークＭ１、Ｍ２、Ｍ３を印刷する。
【００２３】
また、重ね順マークＭ１〜Ｍ３は、完成状態における記録用紙の配置位置を表している。本実施形態では、１行１列（左上）の位置に配置される記録用紙Ｐ１から右側へ向かって進むに連れて、重ね順マークＭ１〜Ｍ３の数が大きくなり、１行目が終わると次の行（２行目）に移り、２行目の左側から右側へ向かって重ね順マークＭ１〜Ｍ３の数が大きくなるようにされている。
【００２４】
具体的に説明すると、完成状態において１行１列の位置に配置される記録用紙Ｐ１の糊代２０には、「１」が記載された重ね順マークＭ１が付与され、完成状態において１行２列の位置に配置される記録用紙Ｐ２の糊代２０には、「２」が記載された重ね順マークＭ２が付与され、完成状態において２行２列の位置に配置される記録用紙Ｐ３の糊代２０には、「３」が記載された重ね順マークＭ３が付与される。
【００２５】
そして、完成状態において２行２列の位置に配置される記録用紙Ｐ４には、糊代２０を形成する必要がないので、重ね順マークＭ１〜Ｍ３は付与されない。
また、本実施形態では、重ね順マークＭ１〜Ｍ３の数が若い方から順に、記録用紙Ｐ１〜Ｐ３が出力されるようにされており、具体的には、「１」が記載された重ね順マークＭ１を有する記録用紙Ｐ１が１番目に出力され、「２」が記載された重ね順マークＭ２を有する記録用紙Ｐ２が２番目に出力され、「３」が記載された重ね順マークＭ３を有する記録用紙Ｐ３が３番目に出力される。そして、重ね順マークＭ１〜Ｍ３を有していない記録用紙Ｐ４は、最後（４番目）に出力される。
【００２６】
３．複合機の特徴的作動
図３は、制御部１８のＣＰＵ１８Ａが印刷部１６を制御するためのプログラムの特徴的作動を示すフローチャートであり、このプログラムは、ポスターコピー機能を利用して印
刷を実行することが使用者にて選択されたときに実行される処理である。なお、このプログラムは、ＲＯＭ１８Ｃに記憶されている。
【００２７】
図３に示すプログラムが起動されると、用紙寸法検出センサ１２から入力される検出信号に基づいて、読取用画像のうち、後述するＳ１２０及びＳ１９０の処理にて読取部１０が読み取る読取用画像の読取領域Ａ〜Ｄ（図４参照）が決定される（Ｓ１１０）。
【００２８】
ここで、読取領域Ａ〜Ｄは、図４に示すように、２行２列（４つ）の領域からなり、本実施形態では、記録用紙Ｐ１〜Ｐ３に糊代２０を形成するようにしているので、その糊代２０で重なり合う部分を考慮した大きさとなるように、読取領域Ａ〜Ｄ各々の大きさ（面積）が略同一に決定される。
【００２９】
このため、読取領域Ａ〜Ｄのうち、互いに隣り合う読取領域同士には、記録用紙Ｐ１〜Ｐ３に糊代２０を形成することができるように、読取部１０により読み取られる読取用画像が重複した部分が存在している。
【００３０】
そして、Ｓ１１０の処理にて読取領域Ａ〜Ｄが決定されると（Ｓ１１０）、読取用画像のうち、１行１列に位置する読取領域Ａの範囲内に含まれる読取用画像が、読取部１０により読み取られる（Ｓ１２０）。
【００３１】
そして、Ｓ１２０の処理にて読取領域Ａの範囲内に含まれる読取用画像が読み取られると、その読み取られた読取用画像（以下、分割読取画像という。）が、用紙寸法検出センサ１２にて検出された記録用紙の寸法と同じになるように拡大される（Ｓ１３０）。
【００３２】
続いて、その拡大された分割読取画像の中から、分割拡大画像を記録用紙Ｐ１に形成（印刷）するための画像形成領域、及び糊代２０を記録用紙Ｐ１に形成するための糊代形成領域が決定される（Ｓ１４０）。
【００３３】
ここで、画像形成領域とは、Ｓ１３０の処理にて拡大された分割読取画像を、そのまま記録用紙Ｐ１〜Ｐ４に形成する領域のことであり、この画像形成領域に形成される画像のことを、本実施形態では分割拡大画像と呼んでいる。
【００３４】
また、読取領域Ａについては、１行２列に位置する読取領域Ｂと重複する部分と、２行１列に位置する読取領域Ｃと重複する部分とが、糊代形成領域として決定され、その糊代形成領域以外の領域が画像形成領域として決定される。
【００３５】
そして、画像形成領域及び糊代形成領域が決定されると（Ｓ１４０）、Ｓ１３０の処理にて拡大された分割読取画像のうち、糊代形成領域に対応する分割読取画像が削除（空白化）される（Ｓ１５０）。
【００３６】
そして、糊代形成領域に対応する分割読取画像が空白化されると（Ｓ１５０）、その空白部分（糊代２０）に重ね順マークＭ１（図２参照）が付与された印刷出力用データが生成され（Ｓ１６０）、その印刷出力用データが印刷部１６に出力される（Ｓ１７０）。
【００３７】
すると、印刷出力用データの印刷が行われ、読取領域Ａに対応する分割拡大画像、糊代２０及び重ね順マークＭ１が、完成状態で１行１列の位置に配置される記録用紙Ｐ１に印刷される。
【００３８】
また、Ｓ１７０の処理にて、印刷出力用データが印刷部１６に出力されると、全ての分割読取画像（読取用画像の全て）が読取部１０により読み取られたか否かが判定される（
Ｓ１８０）。
【００３９】
Ｓ１８０にて、全ての分割読取画像が読み取られていないと判定された場合には（Ｓ１８０：ＮＯ）、読取領域Ａ〜Ｄのうち、まだ選択されていない読取領域の一つが選択され、その選択された読取領域の範囲内に含まれる読取用画像（分割読取画像）が読み取られる（Ｓ１９０）。
【００４０】
ここで、Ｓ１９０では、読取領域Ｂ、Ｃ、Ｄの順で選択するようにされており、Ｓ１９０にて分割読取画像が読み取られると、その分割読取画像について、Ｓ１３０〜Ｓ１７０の処理が実行される。
【００４１】
具体的に説明すると、Ｓ１９０にて、１行２列に位置する読取領域Ｂの範囲内に含まれる読取用画像が読み取られた場合には、その読み取られた画像（分割読取画像）が拡大された後（Ｓ１３０）、図４に示すように、２行２列に位置する読取領域Ｄと重複する部分が、糊代形成領域として決定されるとともに、その糊代形成領域以外の領域が画像形成領域として決定される（Ｓ１４０）。
【００４２】
そして、糊代形成領域に対応する分割読取画像が空白化され（Ｓ１５０）、その空白部分に重ね順マークＭ２（図２参照）が付与された印刷出力用データが生成され（Ｓ１６０）、その出力用データが印刷部１６に出力される（Ｓ１７０）。
【００４３】
これにより、読取領域Ｂに対応する分割拡大画像、糊代２０及び重ね順マークＭ２が、完成状態で１行２列の位置に配置される記録用紙Ｐ２に印刷される。
また、Ｓ１９０にて、２行１列に位置する読取領域Ｃの範囲内に含まれる読取用画像が読み取られた場合には、Ｓ１３０の処理が終了した後、２行２列に位置する読取領域Ｄと重複する部分が、糊代形成領域として決定されるとともに、その糊代形成領域以外の領域が画像形成領域として決定される（Ｓ１４０）。
【００４４】
そして、糊代形成領域に対応する分割読取画像が空白化され（Ｓ１５０）、その空白部分に重ね順マークＭ３（図２参照）が付与された印刷出力用データが生成され（Ｓ１６０）、その出力用データが印刷部１６に出力される（Ｓ１７０）。
【００４５】
これにより、読取領域Ｃに対応する分割拡大画像、糊代２０及び重ね順マークＭ３が、完成状態で２行１列の位置に配置される記録用紙Ｐ３に印刷される。
また、Ｓ１９０にて、２行２列に位置する読取領域Ｄの範囲内に含まれる読取用画像が読み取られた場合には、Ｓ１３０の処理が終了した後、全ての領域が画像形成領域として決定される、すなわち糊代形成領域は設定されない（Ｓ１４０）。そして、Ｓ１３０にて拡大された分割読取画像全体（分割拡大画像）を表す印刷出力用データが生成され（Ｓ１５０、Ｓ１６０）、その出力用データが印刷部１６に出力される（Ｓ１７０）。
【００４６】
これにより、読取領域Ｄに対応する分割拡大画像が、完成状態で２行２列の位置に位置する記録用紙Ｐ４に印刷される。
そして、Ｓ１８０にて、全ての分割読取画像が読み取られたと判定された場合には（Ｓ１８０：ＹＥＳ）、本プログラムが終了する。
【００４７】
４．分割拡大画像が形成された記録用紙Ｐ１〜Ｐ４の貼付作業
使用者は、例えば以下の手順にて分割拡大画像が形成された記録用紙Ｐ１〜Ｐ４同士を
貼り付けることができる。
【００４８】
まず、使用者は、重ね順マークＭ１が付与された（１番目に印刷部１６から出力された）記録用紙Ｐ１の糊代２０に糊を塗布する。
次に、使用者は、重ね順マークＭ２が付与された（２番目に印刷部１６から出力された）記録用紙Ｐ２が完成状態において１行２列の位置に配置されるように、記録用紙Ｐ２の左縁部分を記録用紙Ｐ１の糊代２０（記録用紙Ｐ１の右縁に形成される糊代２０）に貼り付けると共に、記録用紙Ｐ２の糊代２０に糊を塗布する。
【００４９】
続いて、使用者は、重ね順マークＭ３が付与された（３番目に印刷部１６から出力された）記録用紙Ｐ３が完成状態において２行１列の位置に配置されるように、記録用紙Ｐ３の上縁部分を、記録用紙Ｐ１の糊代２０（記録用紙Ｐ１の下縁に形成される糊代２０）に貼り付けると共に、記録用紙Ｐ３の糊代２０に糊を塗布する。
【００５０】
最後に、使用者は、糊代２０が形成されていない（最後に印刷部１６から出力された）記録用紙Ｐ４が完成状態において２行２列の位置に配置されるように、記録用紙Ｐ４の上縁部分を、記録用紙Ｐ２の糊代２０に貼り付けると共に、記録用紙Ｐ４の左縁部分を記録用紙Ｐ３の糊代２０に貼り付ける。
【００５１】
５．本実施形態に係る複合機の特徴
本実施形態では、分割拡大画像が形成された記録用紙Ｐ１〜Ｐ３に重ね順マークＭ１〜Ｍ３が付与されているので、記録用紙Ｐ１〜Ｐ４の貼付作業では、重ね順マークＭ１〜Ｍ３により表される順番（Ｍ１→Ｍ２→Ｍ３→糊代２０なし）に従って、糊代２０に糊を塗布すると共に記録用紙Ｐ１〜Ｐ４を糊代２０で重ね合わせるだけでよい。
【００５２】
したがって、使用者が記録用紙Ｐ１〜Ｐ４を重ね合わせる順番を間違えてしまうことを防止することができるので、記録用紙Ｐ１〜Ｐ４の貼付作業に掛かる手間を軽減することができ、使用者による記録用紙Ｐ１〜Ｐ４の貼付作業を簡単にすることができる。
【００５３】
また、本実施形態では、重ね順マークＭ１〜Ｍ３が糊代２０に付与されているので、完成状態（記録用紙Ｐ１〜Ｐ４同士を重ね合わせた状態）においては、重ね順マークＭ１〜Ｍ３が外見上見えない位置に存在することとなる。したがって、重ね順マークＭ１〜Ｍ３が完成状態において邪魔になることを防止することができる。
【００５４】
また、本実施形態では、糊代２０が形成された記録用紙Ｐ１〜Ｐ３の表面に、重ね順マークＭ１〜Ｍ３を付与するようにしているので、その例えば記録用紙Ｐ１〜Ｐ３の裏面に重ね順マークＭ１〜Ｍ３を付与した場合に比べて、分割拡大画像が形成された記録用紙Ｐ１〜Ｐ４をいちいち裏返しにして、重ね順マークＭ１〜Ｍ３を確認する必要がない。したがって、使用者による記録用紙Ｐ１〜Ｐ４の貼付作業をより簡単にすることができる。
【００５５】
また、糊代２０と分割拡大画像とを区別して記録用紙Ｐ１〜Ｐ３の印刷が行われるので、使用者は、各記録用紙Ｐ１〜Ｐ４同士を重ね合わせる領域を明確に知ることができ、記録用紙Ｐ１〜Ｐ４の貼付作業を正確に実行することができる。
【００５６】
また、本実施形態の重ね順マークＭ１〜Ｍ３は、完成状態における記録用紙Ｐ１〜Ｐ４の配置位置を表しているので、分割拡大画像が形成された記録用紙Ｐ１〜Ｐ４同士を使用者が重ね合わせる際には、これら記録用紙Ｐ１〜Ｐ４の配置位置を知ることができる。したがって、記録用紙Ｐ１〜Ｐ４の貼付作業をより簡単にすることができる。
【００５７】
また、本実施形態では、重ね順マークＭ１〜Ｍ３が若い方から順に、糊代２０が形成された記録用紙Ｐ１〜Ｐ３が外部へ出力されるので、使用者は、複合機（印刷部１６）から出力されてきた記録用紙Ｐ１〜Ｐ４から順番に、記録用紙Ｐ１〜Ｐ４を重ね合わせればよく、貼付作業の効率を向上させることができる。
【００５８】
また、本実施形態では、分割拡大画像が形成される記録用紙Ｐ１〜Ｐ４のうち、最後に外部へ出力される記録用紙Ｐ４以外の記録用紙Ｐ１〜Ｐ３に糊代２０を形成しているので、複合機（印刷部１６）から最後に出力されてきた記録用紙Ｐ４は、他の記録用紙Ｐ１〜Ｐ３に形成された糊代２０に重ね合わせるだけでよい。
【００５９】
また、糊代２０に糊付けをする順番と、記録用紙Ｐ１〜Ｐ４を重ね合わせる順番とが同じであるので、使用者による記録用紙Ｐ１〜Ｐ４の貼付作業をより簡単にすることができる。
【００６０】
６．発明特定事項と実施形態との対応関係
本実施形態では、糊代２０が特許請求の範囲に記載された重ね部に相当し、Ｓ１４０の処理が特許請求の範囲に記載された重ね部形成手段に相当し、Ｓ１６０の処理が特許請求の範囲に記載された重ね順付与手段に相当する。
【００６１】
（第２実施形態）
上記実施形態のポスターコピー機能では、読取用画像を縦方向及び横方向に約２倍ずつ拡大するようにしていたが、本実施形態のポスターコピー機能は、読取用画像を縦方向及び横方向に約３倍ずつ拡大するようにしたものである。なお、図５は、本実施形態において、分割拡大画像の出力時に出力される記録用紙Ｑ１〜Ｑ９を説明する説明図である。
【００６２】
図５に示すように、完成状態において１行１列の位置に配置される記録用紙Ｑ１には、完成状態において１行２列の位置に配置される記録用紙Ｑ２と重なる部分（右縁の部分）、及び完成状態において２行１列の位置に配置される記録用紙Ｑ２と重なる部分（下縁の部分）に、糊代２０が形成されており、この糊代２０には、「１」が記載された重ね順マークＭ１が付与される。
【００６３】
また、完成状態において１行２列の位置に配置される記録用紙Ｑ２には、完成状態において１行３列の位置に配置される記録用紙Ｑ３と重なる部分（右縁の部分）、及び完成状態において２行２列の位置に配置される記録用紙Ｑ５と重なる部分（下縁の部分）に、糊代２０が形成されており、この糊代２０には、「２」が記載された重ね順マークＭ２が付与される。
【００６４】
また、完成状態において１行３列の位置に配置される記録用紙Ｑ３には、完成状態において２行３列の位置に配置される記録用紙Ｑ６と重なる部分（下縁の部分）に、糊代２０が形成されており、この糊代２０には、「３」が記載された重ね順マークＭ３が付与される。
【００６５】
また、完成状態において２行１列の位置に配置される記録用紙Ｑ４には、完成状態において２行２列の位置に配置される記録用紙Ｑ５と重なる部分（右縁の部分）、及び完成状態において３行１列の位置に配置される記録用紙Ｑ７と重なる部分（下縁の部分）に、糊代２０が形成されており、この糊代２０には、「４」が記載された重ね順マークＭ４が付与される。
【００６６】
また、完成状態において２行２列の位置に配置される記録用紙Ｑ５には、完成状態において２行３列の位置に配置される記録用紙Ｑ６と重なる部分（右縁の部分）、及び完成状
態において３行２列の位置に配置される記録用紙Ｑ８と重なる部分（下縁の部分）に、糊代２０が形成されており、この糊代２０には、「５」が記載された重ね順マークＭ５が付与される。
【００６７】
また、完成状態において２行３列の位置に配置される記録用紙Ｑ６には、完成状態において３行３列の位置に配置される記録用紙Ｑ９と重なる部分（下縁の部分）に、糊代２０が形成されており、この糊代２０には、「６」が記載された重ね順マークＭ６が付与される。
【００６８】
また、完成状態において３行１列の位置に配置される記録用紙Ｑ７には、完成状態において３行２列の位置に配置される記録用紙Ｑ８と重なる部分（右縁の部分）に、糊代２０が形成されており、この糊代２０には、「７」が記載された重ね順マークＭ７が付与される。
【００６９】
また、完成状態において３行２列の位置に配置される記録用紙Ｑ８には、完成状態において３行３列の位置に配置される記録用紙Ｑ９と重なる部分（右縁の部分）に、糊代２０が形成されており、この糊代２０には、「８」が記載された重ね順マークＭ１が付与される。また、完成状態において３行３列の位置に配置される記録用紙Ｑ９には、糊代２０を形成する必要がないので、重ね順マークＭ１〜Ｍ８は付与されない。
【００７０】
以上説明した本実施形態についても、第１実施形態と同様に、分割拡大画像が形成された記録用紙Ｑ１〜Ｑ９に重ね順マークＭ１〜Ｍ８が付与されているので、重ね順マークＭ１〜Ｍ８により表される順番（Ｍ１→Ｍ２→Ｍ３→Ｍ４→Ｍ５→Ｍ６→Ｍ７→Ｍ８→糊代２０なし）に従って、糊代２０に糊を塗布すると共に記録用紙Ｍ１〜Ｍ８を糊代２０で重ね合わせることで、記録用紙Ｍ１〜Ｍ９の貼付作業を実行することができる。
【００７１】
（第３実施形態）
本実施形態では、上記第１実施形態に対して、分割拡大画像の出力時に出力される記録用紙Ｐ１〜Ｐ４同士を重ね合わせる順番を変更したものである。なお、図６は、本実施形態において、分割拡大画像の出力時に出力される記録用紙Ｐ１〜Ｐ４を説明する説明図である。
【００７２】
図６に示すように、完成状態において１行１列の位置に配置される記録用紙Ｐ１の糊代２０のうち、記録用紙Ｐ２と重なる部分（右縁）の糊代２０には、重ね順マークＭ１が付与されており、記録用紙Ｐ１の糊代２０のうち、記録用紙Ｐ３と重なる部分（下縁）の糊代２０には、重ね順マークＭ３が付与される。
【００７３】
また、完成状態において１行２列の位置に配置される記録用紙Ｐ２の糊代２０には、重ね順マークＭ３が付与され、完成状態において２行１列に配置される記録用紙Ｐ３の糊代２０には、重ね順マークＭ２が付与される。
【００７４】
（第４実施形態）
本実施形態では、上記第２実施形態に対して、分割拡大画像の出力時に出力される記録用紙Ｑ１〜Ｑ９同士を重ね合わせる順番を変更したものである。なお、図７は、本実施形態において、分割拡大画像の出力時に出力される記録用紙Ｑ１〜Ｑ９を説明する説明図である。
【００７５】
図７に示すように、完成状態において１行１列の位置に配置される記録用紙Ｑ１の糊代２０のうち、記録用紙Ｑ２と重なる部分（右縁）の糊代２０には、重ね順マークＭ１が付与されており、記録用紙Ｑ１の糊代２０のうち、記録用紙Ｑ４と重なる部分（下縁）の糊
代２０には、重ね順マークＭ７が付与される。
【００７６】
また、完成状態において１行２列の位置に配置される記録用紙Ｑ２の糊代２０のうち、記録用紙Ｑ３と重なる部分（右縁）の糊代２０には、重ね順マークＭ２が付与されており、記録用紙Ｑ２の糊代２０のうち、記録用紙Ｑ５と重なる部分（下縁）の糊代２０には、重ね順マークＭ７が付与される。また、完成状態において１行３列の位置に配置される記録用紙Ｑ３の糊代２０には、重ね順マークＭ７が付与される。
【００７７】
また、完成状態において２行１列の位置に配置される記録用紙Ｑ４の糊代２０のうち、記録用紙Ｑ５と重なる部分（右縁）の糊代２０には、重ね順マークＭ３が付与されており、記録用紙Ｑ４の糊代２０のうち、記録用紙Ｑ７と重なる部分（下縁）の糊代２０には、重ね順マークＭ８が付与される。
【００７８】
また、完成状態において２行２列の位置に配置される記録用紙Ｑ５の糊代２０のうち、記録用紙Ｑ６と重なる部分（右縁）の糊代２０には、重ね順マークＭ４が付与されており、記録用紙Ｑ５の糊代２０のうち、記録用紙Ｑ８と重なる部分（下縁）の糊代２０には、重ね順マークＭ８が付与される。
【００７９】
また、完成状態において３行１列の位置に配置される記録用紙Ｑ７の糊代２０には、重ね順マークＭ５が付与されており、完成状態において３行２列の位置に配置される記録用紙Ｑ８の糊代２０には、重ね順マークＭ６が付与される。
【００８０】
（その他の実施形態）
上記実施形態のポスターコピー機能では、読取用画像の倍率を、４倍又は９倍として説明したが、本発明はこれに限定されるものではなく、１６倍や２５倍等であってもよい。また、ポスターコピー機能を利用する際に、使用者にて読取用画像の倍率が設定変更可能にされているとよい。
【００８１】
上記実施形態では、本発明を複合機に適用したものを例に挙げて説明したが、本発明はこれに限定されるものではなく、プリンタに本発明を適用してもよいし、プリンタとパソコンとからなる画像形成システムに本発明を適用してもよい。そして、画像形成システムに本発明を適用した場合には、図３に示すプログラムを、プリンタ側にて実行するようにしてもよいし、パソコン側にて実行するようにしてもよい。
【００８２】
また、上記実施形態では、記録用紙に糊代を形成するようにしていたが、本発明はこれに限定されるものではなく、例えば、ステープルや両面テープ等で記録用紙同士を重ね合わせるための重ね部を、糊代２０に代えて記録用紙に形成するようにし、その重ね部に重ね順を付与するようにしてもよい。
【００８３】
また、上記実施形態では、糊代形成領域に対応する分割読取画像を削除する（図３に示すＳ１５０）、すなわち糊代２０に画像を形成しないようにしていたが、本発明はこれに限定されるものではなく、糊代形成領域に対応する分割読取画像を削除しなくてもよい。
【００８４】
また、糊代２０を形成する糊代形成領域と、分割拡大画像を形成する画像形成領域とを区別するための線を設けてもよい。
また、本発明は、特許請求の範囲に記載された発明の趣旨に合致するものであればよく、上述の実施形態に限定されるものではない。
【図面の簡単な説明】
【００８５】
【図１】第１実施形態の複合機の構成を表すブロック図である。
【図２】第１実施形態において、分割拡大画像の出力時に出力される記録用紙を説明する説明図である。
【図３】第１実施形態において、制御部のＣＰＵが印刷部を制御するためのプログラムの特徴的作動を示すフローチャートである。
【図４】第１実施形態の読取領域を説明する説明図である。
【図５】第２実施形態において、分割拡大画像の出力時に出力される記録用紙を説明する説明図である。
【図６】第３実施形態において、分割拡大画像の出力時に出力される記録用紙を説明する説明図である。
【図７】第４実施形態において、分割拡大画像の出力時に出力される記録用紙を説明する説明図である。
【符号の説明】
【００８６】
１０…読取部、１２…用紙寸法検出センサ、１４…操作部、１６…印刷部、１８…制御部、１８Ａ…ＣＰＵ、１８Ｂ…ＲＡＭ、１８Ｃ…ＲＯＭ、２０…糊代、Ｍ１〜Ｍ９…重ね順マーク、Ｐ１〜Ｐ４、Ｑ１〜Ｑ９…記録用紙。
【図１】
2008238699.tif 000003
【図２】
2008238699.tif 000004
【図３】
2008238699.tif 000005
【図４】
2008238699.tif 000006
【図５】
2008238699.tif 000007
【図６】
2008238699.tif 000008
【図７】
2008238699.tif 000009